【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
種々の図柄を変動表示する図柄表示手段と、
遊技球の始動入賞を契機に当否の判定を行う抽選手段と、
遊技球が入球可能な開状態と入球が不可能又は困難な閉状態とに切替える開閉手段、遊技球が通過可能な特定領域及び非特定領域、遊技球を該特定領域又は該非特定領域に振分ける振分手段、及び該特定領域を通過した遊技球を検出する球検出手段を有する可変入賞手段と、
前記抽選手段によって遊技者に有利な特別遊技状態に移行すると判定されたことに基づいて、前記振分手段が動作しない通常動作状態及び前記振分手段が動作する特別動作状態を有する特別遊技を実行する特別遊技実行手段と、
前記開閉手段の動作を制御する開閉制御手段と、
前記振分手段の動作を制御する振分制御手段と、
前記球検出手段によって遊技球が検出された場合に、遊技者に有利な遊技状態に移行させる遊技状態制御手段とを備え、
前記振分制御手段は、所定条件下で前記開閉手段が開状態となった場合に、遊技球が所定時間、前記特定領域に振分けられるように前記振分手段を制御し、該開閉手段が該所定時間の経過前に閉状態となった場合には、前記可変入賞手段に入球した遊技球の排出確認時間の経過後に、遊技球が前記非特定領域に振分けられるように該振分手段を制御し、
前記振分制御手段は、前記特別動作状態中に前記振分手段の動作を制御し、
前記特別遊技実行手段は、１回の前記特別遊技において、連続して前記特別動作状態の遊技を実行しないことを特徴とする弾球遊技機。
【手続補正２】
【補正対象書類名】明細書
【補正対象項目名】０００５
【補正方法】変更
【補正の内容】
【０００５】
しかしながら、特許文献１の遊技機では、普通に遊技を行っている遊技者に対しても異常の報知をしてしまうおそれがあった。
【手続補正３】
【補正対象書類名】明細書
【補正対象項目名】０００６
【補正方法】変更
【補正の内容】
【０００６】
本発明は、このような事情に鑑みてなされたものであり、意図しないタイミングで遊技球が特定領域を通過するのを防止できる弾球遊技機を提供することを目的とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明の弾球遊技機は、種々の図柄を変動表示する図柄表示手段と、遊技球の始動入賞を契機に当否の判定を行う抽選手段と、遊技球が入球可能な開状態と入球が不可能又は困難な閉状態とに切替える開閉手段、遊技球が通過可能な特定領域及び非特定領域、遊技球を該特定領域又は該非特定領域に振分ける振分手段、及び該特定領域を通過した遊技球を検出する球検出手段を有する可変入賞手段と、前記抽選手段によって遊技者に有利な特別遊技状態に移行すると判定されたことに基づいて、前記振分手段が動作しない通常動作状態及び前記振分手段が動作する特別動作状態を有する特別遊技を実行する特別遊技実行手段と、前記開閉手段の動作を制御する開閉制御手段と、前記振分手段の動作を制御する振分制御手段と、前記球検出手段によって遊技球が検出された場合に、遊技者に有利な遊技状態に移行させる遊技状態制御手段とを備え、前記振分制御手段は、所定条件下で前記開閉手段が開状態となった場合に、遊技球が所定時間、前記特定領域に振分けられるように前記振分手段を制御し、該開閉手段が該所定時間の経過前に閉状態となった場合には、前記可変入賞手段に入球した遊技球の排出確認時間の経過後に、遊技球が前記非特定領域に振分けられるように該振分手段を制御し、前記振分制御手段は、前記特別動作状態中に前記振分手段の動作を制御し、前記特別遊技実行手段は、１回の前記特別遊技において、連続して前記特別動作状態の遊技を実行しないことを特徴とする。
【手続補正９】
【補正対象書類名】明細書
【補正対象項目名】００１２
【補正方法】変更
【補正の内容】
【００１２】
本発明によれば、意図しないタイミングで遊技球が特定領域を通過するのを防止することができる。
【手続補正１０】
【補正対象書類名】明細書
【補正対象項目名】００２７
【補正方法】変更
【補正の内容】
【００２７】
第２実施形態の弾球遊技機は、種々の図柄を変動表示する図柄表示手段と、遊技球の始動入賞を契機に当否の判定を行う抽選手段と、遊技球が入球可能な開状態と入球が不可能又は困難な閉状態とに切替える開閉手段、遊技球が通過可能な特定領域及び非特定領域、遊技球を該特定領域又は該非特定領域に振分ける振分手段、及び該特定領域を通過した遊技球を検出する球検出手段を有する可変入賞手段と、前記抽選手段によって遊技者に有利な特別遊技状態に移行すると判定されたことに基づいて、前記振分手段が動作しない通常動作状態及び前記振分手段が動作する特別動作状態を有する特別遊技を実行する特別遊技実行手段と、前記開閉手段の動作を制御する開閉制御手段と、前記振分手段の動作を制御する振分制御手段と、前記球検出手段によって遊技球が検出された場合に、遊技者に有利な遊技状態に移行させる遊技状態制御手段とを備え、前記振分制御手段は、所定条件下で前記開閉手段が開状態となった場合に、遊技球が所定時間、前記特定領域に振分けられるように前記振分手段を制御し、該開閉手段が該所定時間の経過前に閉状態となった場合には、前記可変入賞手段に入球した遊技球の排出確認時間の経過後に、遊技球が前記非特定領域に振分けられるように該振分手段を制御し、前記振分制御手段は、前記特別動作状態中に前記振分手段の動作を制御し、前記特別遊技実行手段は、１回の前記特別遊技において、連続して前記特別動作状態の遊技を実行しないことを特徴とする。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】変更
【補正の内容】
【００２９】
振分制御手段は、特別動作状態中に振分手段の動作を制御するので、遊技球が特定領域に振分けられ、球検出手段によって遊技球が検出されると、遊技者に有利な遊技状態に移行する。また、振分制御手段は、遊技球の排出確認時間（後述する残存球排出時間）が経過した後に、遊技球が非特定領域に振分けられるように振分手段を制御するので、入球数と排出数の一致を確認することができると共に、その後の特定領域への意図しない入賞も防止することができる。
【手続補正１３】
【補正対象書類名】明細書
【補正対象項目名】００３０
【補正方法】変更
【補正の内容】
【００３０】
また、特別遊技実行手段は、１回の特別遊技の中では、連続して特別動作状態の遊技を実行しない。例えば、特別動作状態の次には通常動作状態の遊技を実行するので、遊技球が特定領域に振分けられることがない。これにより、特別遊技中に遊技球が特定領域を通過しうる弾球遊技機において、意図しないタイミングで遊技球が特定領域を通過するのを確実に防止することができる。